(57)【特許請求の範囲】
【請求項１】
複数の磁性体マークが後に搬送される際の搬送方向に対する垂直方向に連設状態で形成され、所定の磁性体マークが当該垂直方向にＮ極及びＳ極を形成するように着磁させた帳票体に対して、着磁された磁性体マークを検知するマーク検知システムであって、
搬送される前記帳票体に形成された前記複数の磁性体マークの各磁性体マークに対し、それぞれ複数の磁気センサが配置されることを特徴とするマーク検知システム。
【請求項２】
請求項１記載のマーク検知システムであって、配置される前記複数の磁気センサのうち、２つの磁気センサが着磁されたときの磁性体マークの極切り替わり目近傍で磁力低下により検知不能となる非検知範囲の距離を設けて配置されることを特徴とするマーク検知システム。
【発明の詳細な説明】
【技術分野】
【０００１】
本発明は、帳票体に形成された磁性体マークのうち、着磁された磁性体マークを非接触で検知するマーク検知システムに関する。
【背景技術】
【０００２】
近年、例えば帳票体を封緘体に封入した後に、個別先に配送することが行われ、封緘体に、実際に個別先毎の帳票体が封入されているか、異なる帳票体が混在していないかを検査することが行われている。このような場合も含めて帳票体を検査するにあたって各帳票体を確実に認識する必要がある。
【０００３】
従来、封緘体に封入した帳票体のマッチングを行うために、当該帳票体にそれぞれマッチングのためのマークや符号を付しておき、マークや符号を認識することでマッチングの正否を判別することが一般的に行われている。このような帳票体に付すマッチングのためのマークや符号について、以下の特許文献１で提案されているものがある。
【０００４】
上記特許文献１では、シートに照合記号（バーコード）を付すもので、当該照合記号が金属または金属粉入りインキで印刷し、当該照合記号をＸ線透過による検査装置により読み取ってマッチング検査を行うことが提案されている。また、インキの他に、導電粉末入りのトナーを定着させる技術も提案されている。
【０００５】
しかしながら、上記特許文献１で提案されているように、シートに照合記号（バーコード）を形成させるに際して、Ｘ線で検出可能な金属または金属粉入りインキで印刷を行うことによって可変的データを容易に照合記号として形成させることができるものであるが、インキ内に含ませる金属または金属粉の量はインキという特性上限度があって形成シート上に何枚かの介在物があると、下層の照合記号が認識されないか、または誤認識する場合も生じてくると共に、Ｘ線を使用するシステムは高価となる。
【０００６】
一方、Ｘ線ではなく、磁性体で内容物を検知する技術が以下の特許文献２で提案されている。当該特許文献２は、自己の有する保磁力を越える交番磁界を与えたときに急峻な磁化反転を生じる強磁性体粉末を含有したインキまたは塗料を、包装用箱に収納される内容物に印刷または塗布して検知用マークを設けるというものである。
【０００７】
上記特許文献２で提案されているものは、内容物に設けた検知用マークに対して、両側に当該強磁性体の保持力を超える交番磁界を印加する発生用コイルと検知用コイルとを配置して検知用マークを検知するものであるから、これを帳票体のマッチング等に適用することは高価になることもあって現実的ではない。
【０００８】
【特許文献１】特許第３０９８５５７号公報
【特許文献２】特開２００３−２８５８０８号公報
【０００９】
上記特許文献１、２に鑑みて、本出願人は、マッチング用マークを磁性体で形成し、これを磁気センサにより非接触で検知することを想到したものである。
【００１０】
そこで、図３に本発明の前提となる帳票体の一例の説明図を示すと共に、図４に図３における帳票体のマーク検知の説明図を示す。図３は、封緘体に封入させる複数の帳票体を示したもので、図３（Ａ）において、連続帳票体１０１が搬送方向両側にマージナル部１０２Ａ，１０２Ｂを形成させ、個片帳票体１０３Ａ〜１０３Ｃで構成する一の帳票体１０３が連続させたものであって、個片帳票体１０３Ａ〜１０３Ｃの何れかに、その一方端のマーク形成領域に、磁性体粉が混入されたインキで印刷により例えば６つの磁性体マーク１１１Ａ〜１１１Ｆが搬送方向に対する垂直方向（幅方向）に連設され、帳票体１０３毎に何れかの磁性体マーク１１１Ａ〜１１１Ｆが着磁される。また、何れかの個片帳票体１０３Ａ〜１０３Ｃの所定箇所に住所、氏名、識別符号等が印刷される。
【００１１】
上記連続帳票体１０１は、搬送中の一工程でマージナル部１０２Ａ，１０２Ｂが除去され、また、単一の帳票体１０３に切断されて、折込線１０４で例えばＺ折りで折曲される。このような折曲された帳票体１０３が、図３（Ｂ）に示されるように、封緘体１０５に封入されるもので、このときに当該封緘体１０５の窓部１０６に上記印刷した住所、氏名、識別符号等が表出されるように帳票体１０３が封入される。この状態で当該帳票体１０３に形成された磁性体マーク１１１Ａ〜１１１Ｆの何れかに着磁された磁性体マーク（以下、磁気マークという）の位置と、当該封緘体１０５の窓部１０６より表出される認識符号を認識してマッチングが行われるものである。
【００１２】
上記マッチングは、図４（Ａ）に示すように、封入工程の後に搬送手段１２１により図示しない撮像位置まで搬送されて窓部１０６より表出された識別符号が撮像、認識され、さらにマーク検出位置まで搬送されて配置されたマーク検知部１２３により何れかの着磁された磁性体マーク１１１Ａ〜１１１Ｆの磁気マークが検知され、認識された識別符号と検知された磁気マークの位置でマッチングが行われるものである。
【００１３】
すなわち、上記マーク検知部１２３は、搬送されてくる封緘体１０５に封入された帳票体１０３の磁性体マーク１１１Ａ〜１１１Ｆに対してそれぞれ磁気センサ１３１〜１３６で対応されており、何れかの磁気センサ１３１〜１３６が検知することで磁気マークの位置が判別されるものである。
【発明の開示】
【発明が解決しようとする課題】
【００１４】
ところで、着磁された磁性体マーク（ここでは、磁気マーク１１１Ａとする）は、図４（Ｂ）に示すように、Ｎ極端部とＳ極端部とにおいて磁力が最大となり、各端部からの距離にしたがって徐々に磁力が低下し、Ｎ極とＳ極との切り替わり目で磁力が最小（ゼロ）となる。したがって、磁気マーク１１１Ａは、磁気センサ（ここでは、対応の磁気センサ１３１とする）に対して、検知可能な検知可能範囲Ｘ，Ｘ’と、上記切り替わり目近傍において検知困難となる非検知範囲Ｙとを有することとなる。
【００１５】
しかしながら、図４（Ａ）に示すように、搬送手段１２１上で帳票体１０３が搬送されたときに、搬送方向に対して垂直方向（幅方向）にいわゆるアバレを生じ、固定配置された磁気センサ１３１（１３２〜１３６も同様）が上記非検知範囲Ｙ内に位置されると当該磁気センサの出力値がノイズと判別不能状態となって、対応の磁気マークを検知することができない場合があるという問題がある。
【００１６】
そこで、本発明は上記課題に鑑みなされたもので、搬送される帳票体の垂直方向の位置変化に対しても着磁された磁性体マークを確実に検知可能とするマーク検知システムを提供することを目的とする。
【課題を解決するための手段】
【００１７】
上記課題を解決するために、請求項１の発明では、複数の磁性体マークが後に搬送される際の搬送方向に対する垂直方向に連設状態で形成され、所定の磁性体マークが当該垂直方向にＮ極及びＳ極を形成するように着磁させた帳票体に対して、着磁された磁性体マーク検知するマーク検知システムであって、搬送される前記帳票体に形成された前記複数の磁性体マークの各磁性体マークに対し、それぞれ複数の磁気センサが配置される構成とする。
【００１８】
請求項２の発明では、配置される前記複数の磁気センサのうち、２つの磁気センサが着磁されたときの磁性体マークの極切り替わり目近傍で磁力低下により検知不能となる非検知範囲の距離を設けて配置される構成である。
【発明の効果】
【００１９】
本発明によれば、帳票体に、複数の磁性体マークが後に搬送される際の搬送方向に対する垂直方向に連設状態で形成され、所定の磁性体マークが当該垂直方向にＮ極及びＳ極を形成するように着磁されたものであり、搬送される帳票体に形成された複数の磁性体マークの各磁性体マークに対し、それぞれ複数の磁気センサを配置させる構成とすることにより、搬送される帳票体にアバレが生じて垂直方向に位置変化しても複数の磁気センサの何れかが確実に着磁された磁性体マークを検知することとなることから、搬送される帳票体の垂直方向の位置変化に対して着磁された磁性体マークを確実に検知可能とすることができるものである。
【発明を実施するための最良の形態】
【００２０】
以下、本発明の最良の実施形態を図により説明する。
図１に、本発明のマーク検知システムの一部を示した構成図を示す。図１（Ａ）は、マーク検知システム１１の一部を示したもので、例えばベルト搬送の搬送手段１２上の所定位置にマーク検知部１３が配置され、当該マーク検知部１３は、磁気センサ２１Ａ，２１Ｂを一対として、磁気センサ２２Ａ，２２Ｂを一対として、磁気センサ２３Ａ，２３Ｂを一対として、磁気センサ２４Ａ，２４Ｂを一対として、磁気センサ２５Ａ，２５Ｂを一対として、磁気センサ２６Ａ，２６Ｂを一対として備える。
【００２１】
一方、上記搬送手段１２上では封緘体３１が順次搬送されるもので、当該封緘体３１には、窓部３１Ａが設けられて前述の図３（Ａ）、（Ｂ）に示す帳票体と同様の帳票体３２が封入されたものである。すなわち、帳票体３２には、複数の矩形状の磁性体マーク３３Ａ〜３３Ｆが後に搬送される際の搬送方向に対して垂直方向（幅方向）に連設状態で形成され、所定の磁性体マークが当該垂直方向に極（Ｎ極及びＳ極）を形成するように着磁されるものである。ここでは、例えば磁性体マーク３３Ａを着磁するものとし、当該着磁された磁性体マークを磁気マーク３３Ａとする。
【００２２】
これに対して、マーク検知部１３では、搬送される帳票体３２に形成された磁性体マーク３３Ａ〜３３Ｆの各磁性体マークに対し、それぞれ複数（本実施形態では２つ一対）の磁気センサが配置される。具体的には、磁性体マーク３３Ａに対して一対の磁気センサ２１Ａ，２１Ｂが対応されて配置され、磁性体マーク３３Ｂに対して一対の磁気センサ２２Ａ，２２Ｂが対応されて配置され、磁性体マーク３３Ｃに対して一対の磁気センサ２３Ａ，２３Ｂが対応されて配置され、磁性体マーク３３Ｄに対して一対の磁気センサ２４Ａ，２４Ｂが対応されて配置され、磁性体マーク３３Ｅに対して一対の磁気センサ２５Ａ，２５Ｂが対応されて配置され、そして磁性体マーク３３Ｆに対して一対の磁気センサ２６Ａ，２６Ｂが対応されて配置される。
【００２３】
この場合、各磁性体マーク３３Ａ〜３３Ｆに対する、それぞれ一対の磁気センサ２１〜２６は、着磁されたときの磁性体マーク（磁気マーク）の極（Ｎ極及びＳ極）の切り替わり目近傍で磁力低下により検知不能となる非検知範囲の距離を設けて配置される。上記磁性体マーク３３Ａに対して配置される一対の磁性体マークセンサ２１Ａ，２１Ｂを例にとると、図１（Ｂ）に示すように、磁気マーク３３ＡのＮ極及びＳ極の切り替わり目近傍の磁力の低下により検知不能となる非検知範囲Ｙの距離が設けられて配置される。他の磁性体マーク３３Ｂ〜３３Ｆに対する磁性体マーク２２〜２６も同様である。
【００２４】
ここでは、一例として磁性体マークセンサ２１Ａ，２１Ｂ（各磁性体マークセンサ２２〜２６も同様である）が、磁性体マーク３３Ａ（磁性体マーク３３Ｂ〜３３Ｆも同様である）における着磁されたときのＮ極及びＳ極の各端部より矩形長辺長の１／４（共に、検知可能範囲Ｘ，Ｘ’内）に対応してそれぞれ配置されることによって、少なくとも非検知範囲Ｙ以上の距離を設けている。
【００２５】
そこで、図２に、図１における帳票体のマーク検知の説明図を示す。図２は、図１に示す帳票体３２の磁性体マーク３３Ａのみを着磁させて磁気マーク３３Ａとして説明する。図２（Ａ）は、搬送手段１２上で搬送される封緘体３１又は封緘体３１に封入された帳票体３２にいわゆるアバレを生じないとした場合であり、搬送されてくる帳票体３２の磁気マーク３３Ａに対して磁気センサ２１Ａ，２１Ｂの何れもが検知することとなる。
【００２６】
続いて、搬送手段１２上で搬送される封緘体３１又は封緘体３１に封入された帳票体３２が、搬送方向に対して垂直方向（図１（Ａ）における下方向、図２（Ｂ）における左方向）にいわゆるアバレを生じた場合、磁気センサ２１Ｂは磁気マーク３３Ａの非検知範囲Ｙに位置されることとなって検知しないが、磁気センサ２１Ａが検知可能範囲Ｘ’の位置を逸脱せずに検知するものである。
【００２７】
また、搬送手段１２上で搬送される封緘体３１又は封緘体３１に封入された帳票体３２が、搬送方向に対して垂直方向（図１（Ａ）における上方向、図２（Ｂ）における右方向）にいわゆるアバレを生じた場合、磁気センサ２１Ａは磁気マーク３３Ａの非検知範囲Ｙに位置されることとなって検知しないが、磁気センサ２１Ｂが検知可能範囲Ｘの位置を逸脱せずに検知するものである。
【００２８】
このように、搬送される帳票体３２にアバレが生じて搬送方向に対して垂直方向に位置変化しても磁気センサ２１Ａ，２１Ｂの何れかが磁気マーク３３Ａを確実に着磁された磁性体マークを検知することとなることから、搬送される帳票体の垂直方向の位置変化に対して着磁された磁性体マークを確実に検知可能とすることができるものである。
【００２９】
ところで、上記実施形態では、帳票体３２に形成される例えば６つの磁性体マークのうち、一の磁性体マーク（上記説明では磁性体マーク３３Ａ）に対してのみ着磁させた場合を示したが、複数の組み合わせで着磁させても同様である。
【００３０】
また、上記実施形態では、複数の磁性体マークにおけるそれぞれ一の磁性体マークに対して、２つを一対として磁気センサを配置した場合を示したが、３つ以上を一対として配置してもよく、そのうちの２つの磁気センサが、着磁されたときの磁性体マークの極切り替わり目近傍で磁力低下により検知不能となる非検知範囲の距離を設けて配置されていれば足りる。
【００３１】
一方、本発明のマーク検知システム１１は、封緘体３１に封入された帳票体が正規のものか否かの帳票体マッチングシステムに適用することができる。例えば、前述の図３及び図４で説明したように、帳票体３２に、当該帳票体３２が折曲され、封緘体３１に封入されたときに窓部３１Ａに住所、氏名、識別符号が表出されるように印刷を行い、当該帳票体３２が封緘体３１に封入されたときに、窓部３１Ａより表出した識別符号を撮像手段で読み取って認識し、当該認識した識別符号と磁気センサ２１〜２６で検知した磁気マーク３３Ａ〜３３Ｆの位置とでマッチングを行わせるものである。なお、封緘体３１に封入される帳票体３２は単一であっても、複数であっても同様である。
【００３２】
また、別の適用例として、本発明のマーク検知システム１１は、複数の帳票体３２を丁合して、例えば封緘体に封入し、又は製本等とする丁合システムに適用することができる。例えば、複数の帳票体３２に上記のように複数の磁性体マーク３３Ａ〜３３Ｆを形成し、丁合対象の帳票体３２の磁性体マーク３３Ａ〜３３Ｆのうち、同位置の磁性体マーク３３Ａ〜３３Ｆに着磁させておき、丁合時に着磁された磁性体マーク３３Ａ〜３３Ｆを検知し、その位置で正規の帳票体が丁合されているかを判別するものである。この場合、丁合対象の帳票体が、天地が逆である場合や、裏返しであった場合でも、このような状態をエラーとして検知することができるものである。
【産業上の利用可能性】
【００３３】
本発明のマーク検知システムは、帳票体に形成された磁性体マークを検知する場合に適する。
【図面の簡単な説明】
【００３４】
【図１】本発明のマーク検知システムの一部を示した構成図である。
【図２】図１における帳票体のマーク検知の説明図である。
【図３】本発明の前提となる帳票体の一例の説明図である。
【図４】図３における帳票体のマーク検知の説明図である。
【符号の説明】
【００３５】
１１            マーク検知システム
１２            搬送手段
１３            磁性体検出部
２１〜２６      磁気センサ
３１            封緘体
３２            帳票体
３３            磁性体マーク
【図１】
0004859792.tif 000002
【図２】
0004859792.tif 000003
【図３】
0004859792.tif 000004
【図４】
0004859792.tif 000005